Podtech/llm-jp-corpus-v4-ja_patent huggingface dataset:
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
消費者の会員コードと、当該消費者が各企業で行った決済内容を含む電子レシート情報とを対応付けて管理する電子レシート一括管理手段と、
商品を特定するための特定情報の入力を受け付ける受付手段と、
前記電子レシート一括管理手段から、前記特定情報の条件に該当する商品の決済内容を含んだ電子レシート情報を検索する検索手段と、
前記検索手段が検索した電子レシート情報に対応付けられた会員コードの消費者について、当該消費者に係る電子レシート情報の検索を指示するための第１操作子を表示する操作画面に、前記特定情報の条件に該当する商品があることを報知する情報を表示する報知手段と、
を備える電子レシートシステム。
【請求項２】
前記報知手段は、前記特定情報の条件に該当する商品があることを報知する情報を第２操作子として表示し、当該第２操作子に対する操作を受け付けたことを条件に、前記特定情報の条件に該当した商品に関する情報を、前記操作画面から切り替えて表示する請求項１に記載の電子レシートシステム。
【請求項３】
商品を特定するための特定情報の入力を受け付ける受付手段と、
消費者の会員コードと、当該消費者が各企業で行った決済内容を含む電子レシート情報とを対応付けて管理する電子レシート一括管理手段から、前記特定情報の条件に該当する商品の決済内容を含んだ電子レシート情報を検索する検索手段と、
前記検索手段が検索した電子レシート情報に対応付けられた会員コードの消費者が操作する端末装置と協働し、当該消費者に係る電子レシート情報の検索を指示するための第１操作子を表示する前記端末装置の操作画面に、前記特定情報の条件に該当する商品があることを報知する情報を表示する報知手段と、
を備える情報処理装置。
【請求項４】
前記報知手段は、前記特定情報の条件に該当する商品があることを報知する情報を第２操作子として表示し、当該第２操作子に対する操作を受け付けたことを条件に、前記特定情報の条件に該当した商品に関する情報を、前記操作画面から切り替えて表示する請求項３に記載の情報処理装置。
【請求項５】
前記電子レシート情報は、前記決済内容として、消費者が購入した各商品に関する商品販売データを含み、
前記受付手段は、前記商品販売データを構成する要素の絞り込み条件を前記特定情報として受け付け、
前記検索手段は、前記特定情報の条件に該当する前記商品販売データを含んだ電子レシート情報を、前記電子レシート一括管理手段から検索する請求項３又は４に記載の情報処理装置。
【請求項６】
前記商品販売データは、商品の販売日時を前記要素として含み、
前記受付手段は、特定の商品の販売期間を前記特定情報として受け付け、
前記検索手段は、前記商品販売データの販売日時が、前記特定情報の販売期間に含まれる電子レシートを前記電子レシート一括管理手段から検索する請求項５に記載の情報処理装置。
【請求項７】
情報処理装置のコンピュータを、
商品を特定するための特定情報の入力を受け付ける受付手段と、
消費者の会員コードと、当該消費者が各企業で行った決済内容を含む電子レシート情報とを対応付けて管理する電子レシート一括管理手段から、前記特定情報の条件に該当する商品の決済内容を含んだ電子レシート情報を検索する検索手段と、
前記検索手段が検索した電子レシート情報に対応付けられた会員コードの消費者が操作する端末装置と協働し、当該消費者に係る電子レシート情報の検索を指示するための第１操作子を表示する前記端末装置の操作画面に、前記特定情報の条件に該当する商品があることを報知する情報を表示する報知手段と、
して機能させるためのプログラム。
【手続補正２】
【補正対象書類名】明細書
【補正対象項目名】０００６
【補正方法】変更
【補正の内容】
【０００６】
実施形態の電子レシートシステムは、消費者の会員コードと、当該消費者が各企業で行った決済内容を含む電子レシート情報とを対応付けて管理する電子レシート一括管理手段と、商品を特定するための特定情報の入力を受け付ける受付手段と、前記電子レシート一括管理手段から、前記特定情報の条件に該当する商品の決済内容を含んだ電子レシート情報を検索する検索手段と、前記検索手段が検索した電子レシート情報に対応付けられた会員コードの消費者について、当該消費者に係る電子レシート情報の検索を指示するための第１操作子を表示する操作画面に、前記特定情報の条件に該当する商品があることを報知する情報を表示する報知手段と、を備える。
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
複数のユーザの各々が入力したメッセージを表すメッセージオブジェクトを、各ユーザに対応するユーザオブジェクトと関連付けて表示させる表示制御手段と、 前記表示されたメッセージオブジェクトに関する履歴情報に基づいて表示されるメッセージオブジェクトを選択する第１の選択操作を受け付ける第１の受付手段と、  前記第１の選択操作の後の操作により前記ユーザオブジェクトを選択する第２の選択操作を受け付ける第２の受付手段と、を備え、 前記表示制御手段は、 前記第１の選択操作によって選択された前記メッセージオブジェクトを、前記第２の選択操作によって選択されたユーザオブジェクトのメッセージとして識別可能な表示態様で表示させることを特徴とするメッセージ表示端末。
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
駆動トランジスタ、転送トランジスタ、及び負荷素子からなるスタティック型メモリセルと、
複数の行と複数の列のそれぞれに配置された複数のスタティック型メモリセルからなるメモリアレイと、
前記駆動トランジスタのソース電極に接続されたソース線と、
第１電圧が供給される第１ソースと、前記ソース線に接続された第１ドレインとを有する第１スイッチングトランジスタと、
前記第１電圧が供給される第２ソースと、前記ソース線に接続された第２ドレインとを有する第２スイッチングトランジスタと、
前記第１電圧と第２電圧とが供給され、第１制御信号に応じて前記第１スイッチングトランジスタの第１ゲートを駆動する第１ドライバと、
前記第１電圧が供給され、かつ、前記ソース線に接続され、前記第１制御信号に応じて前記第２スイッチングトランジスタの第２ゲートを駆動する第２ドライバと、を有し、
前記第１スイッチングトランジスタは、前記メモリアレイの一端側に配置されており、
前記第２スイッチングトランジスタは、前記メモリアレイの前記一端側に対して反対側である他端側に配置されている、半導体装置。
【請求項２】
前記第１スイッチングトランジスタと、前記第２スイッチングトランジスタと、からなるスイッチングトランジスタ対を複数有し、
複数の前記ソース線を有し、
前記メモリアレイは、複数のメモリセル列を含み、
複数の前記ソース線のそれぞれは、前記複数のメモリセル列のうち少なくとも１つの前記メモリセル列に供給され、かつ、少なくとも一つの前記スイッチングトランジスタ対と接続される、請求項１に記載の半導体装置。
【請求項３】
前記メモリセル列のそれぞれは、
それぞれが列方向に配置された複数の前記スタティック型メモリセルと、
第１辺と、
第２辺とを有し、
複数の前記ソース線のそれぞれは、対応する前記メモリセル列に沿って、対応する前記メモリセル列の前記第１辺及び前記第２辺との間に配置され、
前記第１スイッチングトランジスタは、対応する前記メモリセル列の前記第１辺において、対応する前記ソース線と接続され、
前記第２スイッチングトランジスタは、対応する前記メモリセル列の前記第２辺において、対応する前記ソース線と接続される、請求項２記載の半導体装置。
【請求項４】
前記第２ドライバは、前記第１制御信号と第２制御信号との組み合わせに応じて前記第２スイッチングトランジスタを駆動する、請求項１記載の半導体装置。
【請求項５】
前記第２ドライバは、前記第２制御信号に応じて、前記第２スイッチングトランジスタが非導通状態となるように制御する、請求項４記載の半導体装置。
【請求項６】
前記第１スイッチングトランジスタは、前記第２スイッチングトランジスタよりも大きい、請求項１記載の半導体装置。
【請求項７】
前記メモリアレイに対してデータの読み出しまたはデータの書き込みを行う入出力回路をさらに有し、
前記第１スイッチングトランジスタは前記メモリアレイと前記入出力回路との間に配置される、請求項１記載の半導体装置。
【請求項８】
ソース線電位制御回路をさらに有し、
前記ソース線電位制御回路は、
前記スタティック型メモリセルが動作モードの場合は、前記第１および第２スイッチングトランジスタが前記ソース線に前記第２電圧を供給する導通状態となるように、前記第１および第２スイッチングトランジスタを制御し、
前記スタティック型メモリセルがスタンバイモードの場合は、前記第１スイッチングトランジスタを非導通状態に設定し、かつ、前記第２スイッチングトランジスタのゲート電極が前記ソース線に接続して、前記第２スイッチングトランジスタがダイオード接続状態となるように設定する、請求項１記載の半導体装置。
【請求項９】
前記第１スイッチングトランジスタ及び前記第１ドライバは前記メモリアレイの前記一端側に配置され、
前記第２スイッチングトランジスタ及び前記第２ドライバは前記メモリアレイの前記一端側に対して反対側である前記他端側に配置される、請求項１記載の半導体装置。
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
車両（ＶＬ１）に搭載され、前記車両とは異なる移動物（ｍ２、ｍ３）と前記車両との衝突を推定する衝突推定装置（１０）であって、
前記車両の軌跡を推定する車両軌跡推定部（１１）と、
前記移動物を認識するために用いられる第１センサ（２１、２２）から時系列的に得られる情報に基づき、前記移動物の軌跡を推定する移動物軌跡推定部（１２）と、
前記車両に対して前記車両の進行方向（Ｄ１）側に存在する遮蔽物（ＶＬ３）の位置および大きさを特定する遮蔽物特定部（１３）と、
前記進行方向の変化を示す方向変化情報を取得する方向変化情報取得部（１５）と、
特定された前記遮蔽物の位置および大きさと、取得された前記方向変化情報と、を利用して、前記遮蔽物の位置および大きさを基準とした移動物抽出領域（Ａｒ２、Ａｒ３）を設定する移動物抽出領域設定部（１４）と、
前記第１センサから得られる情報に基づき前記移動物抽出領域に前記移動物が認識された場合に、推定された前記車両の軌跡と、推定された前記移動物の軌跡と、取得された前記方向変化情報と、を利用して、前記車両と前記移動物との衝突発生の有無を推定する衝突推定部（１６）と、
を備え、
前記移動物抽出領域設定部は、前記進行方向の変化が検出されると、変更前に設定された前記移動物抽出領域を、前記遮蔽物の近傍の領域のうち、前記方向変化情報の示す前記進行方向の変化の後の前記車両の軌跡に対面する前記遮蔽物の外周面寄りの領域に設定する、
衝突推定装置。
【請求項２】
請求項１に記載の衝突推定装置において、
前記移動物抽出領域設定部は、前記方向変化情報の示す前記進行方向の変化が無しの場合に、前記遮蔽物の手前側端面（Ｓ１）における前記進行方向と直交する直交方向に沿った中央（Ｃ１）から、前記直交方向に沿って前記車両の軌跡に近づく側に予め定められた第１距離（Ｌ１）だけ離れた第１点（Ｐ１）までを一辺とし、前記中央から、前記進行方向に沿って前記遮蔽物の後端から予め定められた第２距離（Ｌ２）だけ離れた第２点（Ｐ２）までを一辺とする平面視矩形状の領域を、前記移動物抽出領域（Ａｒ２）として設定する、
衝突推定装置。
【請求項３】
請求項１または請求項２に記載の衝突推定装置において、
前記移動物抽出領域設定部は、前記方向変化情報の示す前記進行方向の変化が、前記進行方向から、前記遮蔽物の手前側端面の手前を通過する方向への変化である場合に、前記手前側端面における前記進行方向と直交する直交方向に沿った中央から前記進行方向に沿って手前側に予め定められた第３距離（Ｌ３）だけ離れた第３点（Ｐ３）と、前記第３点から前記直交方向に沿って前記車両の軌跡から離れる側に予め定められた第４距離（Ｌ４）だけ離れた第４点（Ｐ４）から前記第３点までを一辺とし、前記第４点から前記進行方向に沿って予め定められた第５距離（Ｌ５）だけ離れた第５点（Ｐ５）から、前記第４点までを一辺とする平面視矩形状の領域を、前記移動物抽出領域（Ａｒ３）として設定する、
衝突推定装置。
【請求項４】
請求項１から請求項３までのいずれか一項に記載の衝突推定装置において、
前記衝突推定部は、
前記第１センサから得られる情報に基づき前記移動物抽出領域とは異なる領域に前記移動物が認識された場合にも、前記衝突発生の有無を推定し、
前記移動物抽出領域に前記移動物が認識された場合には、前記移動物抽出領域とは異なる領域に前記移動物が認識された場合に比べて、より短い時間に前記第１センサから得られた情報に基づき推定される前記移動物の軌跡を利用して、前記衝突発生の有無を推定する、
衝突推定装置。
【請求項５】
請求項１から請求項４までのいずれか一項に記載の衝突推定装置において、
前記衝突推定部は、前記車両の軌跡、または、前記方向変化情報の示す前記進行方向の変化の後の前記車両の軌跡（Ｔｒ１１、Ｔｒ１２）が前記遮蔽物により近いほど、より短い時間に前記第１センサから得られた情報に基づき推定される前記移動物の軌跡を利用して、前記衝突発生の有無を推定する、
衝突推定装置。
【請求項６】
請求項１から請求項５までのいずれか一項に記載の衝突推定装置において、
前記車両は、ステアリングホイール舵角と、タイヤ舵角と、ヨーレートと、のうち少なくとも一つを検出する第２センサ（２３、２４）を備え、
前記方向変化情報取得部は、前記第２センサから得られる値に基づき、前記方向変化情報を取得する、
衝突推定装置。
【請求項７】
請求項１から請求項６までのいずれか一項に記載の衝突推定装置において、
前記方向変化情報取得部は、前記車両に搭載されている方向指示装置の動作状態を示す情報を取得し、取得された該情報に基づき前記方向変化情報を取得する、
衝突推定装置。
【請求項８】
請求項１から請求項７までのいずれか一項に記載の衝突推定装置において、
前記車両は、地図情報を備え、
前記方向変化情報取得部は、前記地図情報に基づき前記車両の走行する道路の種類を特定し、特定された前記道路の種類に基づき前記方向変化情報を取得する、
衝突推定装置。
【請求項９】
請求項１から請求項８までのいずれか一項に記載の衝突推定装置において、
前記車両は、撮像部を備え、
前記方向変化情報取得部は、前記車両に搭載されている撮像部により得られた撮像画像における道路にペイントされた標識の種類に基づき前記方向変化情報を取得する、
衝突推定装置。
【請求項１０】
車両において、前記車両とは異なる移動物と前記車両との衝突を推定する衝突推定方法であって、
前記車両の軌跡を推定する工程と、
前記移動物を認識するために用いられる第１センサから時系列的に得られる情報に基づき、前記移動物の軌跡を推定する工程と、
前記車両に対して前記車両の進行方向側に存在する遮蔽物の位置および大きさを特定する工程と、
前記進行方向の変化を示す方向変化情報を取得する工程と、
特定された前記遮蔽物の位置および大きさと、取得された前記方向変化情報と、を利用して移動物抽出領域を設定する工程と、
前記第１センサから得られる情報に基づき前記移動物抽出領域に前記移動物が認識された場合に、推定された前記車両の軌跡と、推定された前記移動物の軌跡と、を利用して、前記車両と前記移動物との衝突発生の有無を推定する工程と、
を備え、
前記移動物抽出領域を設定する工程は、前記進行方向の変化が検出されると、変更前に設定された前記移動物抽出領域を、前記遮蔽物の近傍の領域のうち、前記方向変化情報の示す前記進行方向の変化の後の前記車両の軌跡に対面する前記遮蔽物の外周面寄りの領域に設定する工程を含む、
衝突推定方法。
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
自車両周辺の物体を検出する物体検出センサ（２１，２２）を備える車両（５０）に適用され、前記物体検出センサの検出結果に基づいて、前記物体との衝突を回避又は軽減する安全装置（３１，３２）を作動させる車両制御装置（１０）であって、
前記自車両が走行する自車線の区画部を認識する認識部と、
前記自車両の進行方向前方に、前記物体検出センサにより検出された物体が存在していることを判定する判定部と、
前記判定部により前記物体の存在が判定された場合に、その物体と前記自車両との間に前記区画部があると認識されていることに基づいて、前記安全装置の作動態様を変更する変更部と、
を備え、
前記安全装置は、所定の作動条件を満たすことで作動されるものであり、
前記変更部は、前記判定部により前記物体の存在が判定された場合において、その物体と前記自車両との間に前記区画部があると認識されていれば、前記作動条件を厳しくする側へ変更し、前記判定部により前記物体の存在が判定された場合において、その物体と前記自車両との間に前記区画部があると認識されていなければ、前記作動条件の前記厳しくする側への変更を行わず、前記作動条件を厳しくする側へ変更した場合でも、前記物体と前記自車両との衝突可能性がある場合には、前記安全装置を作動させる車両制御装置。
【請求項２】
前記判定部は、前記自車線に隣接する対向車線を走行する対向車両の存在を判定し、
前記変更部は、前記判定部により前記対向車両の存在が判定された場合に、その対向車両と前記自車両との間に前記区画部があると認識されていることに基づいて、前記作動態様を変更する請求項１に記載の車両制御装置。
【請求項３】
前記区画部は、前記自車線と、前記自車線に隣接する隣接車線又は歩道部とを区画する立体区画体であり、
前記認識部は、前記立体区画体が存在していることを認識する請求項１又は２に記載の車両制御装置。
【請求項４】
前記認識部は、地図情報に基づいて前記立体区画体が存在することを認識する請求項３に記載の車両制御装置。
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
自動運転車両（ＭＶ）の制御装置（１００）であって、
前記自動運転車両に自動運転を開始させるための信号であって、前記自動運転車両の外部から送信される外部開始信号、を受信する受信部（１１０）と、
自動運転のために必要な処理を行う制御部（１４０）と、
前記自動運転車両の車室内に人が存在するか否かを判定する人判定部（１２０）と、を備え、
前記制御部は、
前記車室内に人が存在すると前記人判定部によって判定された場合には、前記受信部で前記外部開始信号が受信されても自動運転を開始せず、
前記車室内には、前記自動運転車両に自動運転を開始させるための単一又は複数の操作を受け付ける操作部（１５０）が設けられており、
前記制御部は、
前記車室内に人が存在すると前記人判定部によって判定された場合には、前記操作部への操作が行われた場合にのみ自動運転を開始する制御装置。
【請求項２】
前記自動運転車両に設けられたドア（１７）の開閉状態を検知するドア状態検知部（１６０）を更に備え、
前記制御部は、
前記操作部への操作が行われた場合であっても、前記ドアが開状態であることが前記ドア状態検知部によって検知された場合には自動運転を開始しない、請求項１に記載の制御装置。
【請求項３】
前記ドアに設けられた窓ガラス（１８）の開度、を検知する窓開度検知部（１７０）を更に備え、
前記制御部は、
前記操作部への操作が行われ、且つ前記ドアが閉状態であることが前記ドア状態検知部により検知された場合であっても、前記窓開度検知部によって検知された前記窓ガラスの開度が所定開度よりも大きい場合には自動運転を開始しない、請求項２に記載の制御装置。
【請求項４】
前記操作部は、
前記自動運転車両の外部にいる人が、少なくとも一部の操作を行うことができないように構成されている、請求項１乃至３のいずれか１項に記載の制御装置。
【請求項５】
前記自動運転車両に設けられたドアの開閉状態を検知するドア状態検知部を更に備え、
前記操作部への操作が行われた後、前記ドアが開状態となったことが前記ドア状態検知部によって検知された場合には、前記制御部は自動運転を制限する、請求項１乃至４のいずれか１項に記載の制御装置。
【請求項６】
前記自動運転車両に設けられたチャイルドシート（１９）における人の存在を検知するシート状態検知部（１８０）を更に備え、
前記チャイルドシートに人が存在することが前記シート状態検知部によって検知され、且つ前記車室内にはそれ以外の人が存在しないと前記人判定部によって判定された場合には、
前記制御部は、
前記受信部で前記外部開始信号が受信された場合、及び、前記操作部への操作が行われた場合、のいずれにおいても自動運転を開始しない、請求項１乃至５のいずれか１項に記載の制御装置。
【手続補正２】
【補正対象書類名】明細書
【補正対象項目名】０００７
【補正方法】変更
【補正の内容】
【０００７】
本開示に係る制御装置は、自動運転車両（ＭＶ）の制御装置（１００）であって、自動運転車両に自動運転を開始させるための信号であって、自動運転車両の外部から送信される外部開始信号、を受信する受信部（１１０）と、自動運転のために必要な処理を行う制御部（１４０）と、自動運転車両の車室内に人が存在するか否かを判定する人判定部（１２０）と、を備える。制御部は、車室内に人が存在すると人判定部によって判定された場合には、受信部で外部開始信号が受信されても自動運転を開始しない。車室内には、自動運転車両に自動運転を開始させるための単一又は複数の操作を受け付ける操作部（１５０）が設けられており、制御部は、車室内に人が存在すると人判定部によって判定された場合には、操作部への操作が行われた場合にのみ自動運転を開始する。
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
照明光を変調して画像表示光を生成する表示部と、
前記画像表示光を虚像提示板に向けて反射させる凹面鏡と、前記表示部と前記凹面鏡の間に配置される凸レンズとを含む投射光学系と、を備え、
前記表示部は、前記虚像提示板および前記投射光学系により構成される合成光学系のメリディオナル面内焦点より前記凸レンズに近い位置に配置され、
前記凹面鏡の焦点距離は、前記凸レンズの焦点距離より長いことを特徴とする虚像表示装置。
【請求項２】
前記凹面鏡の焦点距離は、前記凸レンズの焦点距離の１．５倍以上３倍以下であることを特徴とする請求項１に記載の虚像表示装置。
【請求項３】
前記表示部は、前記合成光学系による虚像の拡大率をβ、前記合成光学系のメリディオナル面内焦点距離をｆＭとしたときに、前記合成光学系のメリディオナル面内焦点からｄ＝ｆＭ／βの距離に配置されることを特徴とする請求項１または２に記載の虚像表示装置。
【請求項４】
前記虚像提示板は、車両に設けられる厚さが均一なウインドシールドであることを特徴とする請求項１から３のいずれか一項に記載の虚像表示装置。
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
演奏者のタンギング奏法を検出するタンギング奏法検出処理と、
前記タンギング奏法検出処理により演奏者のタンギング奏法を検出している際に、センサにしたがって算出された演奏者のリップ位置に基づいて、発音される音の消音を含む弱音化を制御する消音処理と、
を実行する制御部を備えることを特徴とする電子管楽器。
【請求項２】
前記消音処理は、前記算出された演奏者のリップ位置が先端側の第１リップ位置の場合に、基準リップ位置の場合より発音される音が小さく低減するように制御することを特徴とする請求項１に記載の電子管楽器。
【請求項３】
前記消音処理は、前記算出された演奏者のリップ位置が基端側の第２リップ位置の場合に、基準リップ位置の場合より発音される音が大きく低減するように制御することを特徴とする請求項１又は請求項２に記載の電子管楽器。
【請求項４】
前記消音処理は、前記算出された演奏者のリップ位置が前記第１リップ位置より先端側の第３リップ位置の場合に、発音される音が低減しないように制御することを特徴とする請求項２に記載の電子管楽器。
【請求項５】
前記センサは少なくともマウスピース及びリードのいずれか一方に設けられている少なくとも１つ以上の接触センサであり、
前記タンギング奏法検出処理は前記接触センサの出力値にしたがってタンギング奏法を検出し、
前記消音処理は前記接触センサの出力値にしたがって算出された演奏者のリップ位置に基づいて、発音する音を弱音化することを特徴とする請求項１から請求項４のいずれか１項に記載の電子管楽器。
【請求項６】
電子管楽器の制御方法であって、
演奏者のタンギング奏法を検出するタンギング奏法検出ステップと、
前記タンギング奏法検出ステップにより演奏者のタンギング奏法を検出している際に、センサにしたがって算出された演奏者のリップ位置に基づいて、発音される音の消音を含む弱音化を制御する消音ステップと、を含むことを特徴とする制御方法。
【請求項７】
電子管楽器用のプログラムであって、
電子管楽器の制御部に対して、
演奏者のタンギング奏法を検出するタンギング奏法検出処理と、
前記タンギング奏法検出処理により演奏者のタンギング奏法を検出している際に、センサにしたがって算出された演奏者のリップ位置に基づいて、発音される音の消音を含む弱音化を制御する消音処理と、を少なくとも実行させることを特徴とするプログラム。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
凸面（３１Ａ）を備える第１のレンズ（３１）と、
凹面（３３Ａ）を備える第２のレンズ（３３）と、
前記凸面と前記凹面とを接合する接合層（３５）と、
を備える接合レンズ（１９）であって、
前記接合層は、樹脂（３７）及びギャップ剤（３９）を含み、
前記ギャップ剤は複数の粒子から構成され、前記粒子の粒径は１〜３０μｍである接合レンズ。
【請求項２】
請求項１に記載の接合レンズであって、
前記粒子の形状が球形である接合レンズ。
【請求項３】
請求項１又は２に記載の接合レンズであって、
前記ギャップ剤が有機組成物から成る接合レンズ。
【請求項４】
請求項１〜３のいずれか１項に記載の接合レンズであって、
前記ギャップ剤の屈折率と前記樹脂の屈折率との差の絶対値が０．０１以下である接合レンズ。
【請求項５】
請求項１〜４のいずれか１項に記載の接合レンズであって、
前記樹脂は、活性エネルギー線硬化性樹脂である接合レンズ。
【請求項６】
請求項１〜５のいずれか１項に記載の接合レンズであって、
前記接合層のうち、有効光学面に属する部分は、前記ギャップ剤を含まない接合レンズ。
【請求項７】
請求項１〜６のいずれか１項に記載の接合レンズを備える車載カメラ（３）。
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域と、
遊技球が入球可能であり、遊技球が入球することにより賞球が払い出される複数の入賞口と、
遊技領域から排出される遊技球を検出するための排出検出部と、
情報を表示可能な情報表示部と、
遊技の進行を司る主遊技部と、
を備え、
前記主遊技部は、
遊技者にとって有利な特別遊技を実行する特別遊技制御処理と、
複数の入賞口及び排出検出部による遊技球の検出状況に基づいて、検出の有無を判定する球検出判定処理と、
球検出判定処理による判定結果に基づいて、所定条件下で払い出された賞球数の計測を行う賞球数計測処理と、
球検出判定処理による判定結果に基づいて、所定条件下で排出された遊技球数を計測する第１排出数計測処理と、
球検出判定処理による判定結果に基づいて、すべての排出された遊技球数を計測する第２排出数計測処理と、
賞球数計測処理及び第１排出数計測処理による結果に基づき、複数の入賞口への遊技球の入球に基づく情報である入球状態情報を生成する入球状態情報生成処理と、
入球状態情報を記憶する入球状態情報記憶処理と、
記憶された入球状態情報を情報表示部にて表示する入球状態情報表示処理と
を有しており、
第１排出数計測処理における処理結果が０の場合、情報表示部に第１態様を表示するよう構成され、
第１排出数計測処理における処理結果が０ではない場合、前記入球状態情報が所定値を超えているか否かを判定し、
所定値以上の場合は、第１態様とは異なる第２態様を情報表示部に表示し、
所定値を超えていない場合は、前記入球状態情報を情報表示部に表示するよう構成されている
ことを特徴とするぱちんこ遊技機。
【手続補正２】
【補正対象書類名】明細書
【補正対象項目名】０００５
【補正方法】変更
【補正の内容】
【０００５】
本態様に係るぱちんこ遊技機は、
遊技球が流下可能な遊技領域と、
遊技球が入球可能であり、遊技球が入球することにより賞球が払い出される複数の入賞口と、
遊技領域から排出される遊技球を検出するための排出検出部と、
識別情報を表示可能な識別情報表示部と、
情報を表示可能な情報表示部と、
遊技の進行を司る主遊技部と、
を備え、
主制御部は、
遊技者にとって有利な特別遊技を実行する特別遊技制御処理と、
複数の入賞口及び排出検出部による遊技球の検出状況に基づいて、検出の有無を判定する球検出判定処理と、
球検出判定処理による判定結果に基づいて、所定条件下で払い出された賞球数の計測を行う賞球数計測処理と、
球検出判定処理による判定結果に基づいて、所定条件下で排出された遊技球数を計測する第１排出数計測処理と、
球検出判定処理による判定結果に基づいて、すべての排出された遊技球数を計測する第２排出数計測処理と、
賞球数計測処理及び第１排出数計測処理による結果に基づき、複数の入賞口への遊技球の入球に基づく情報である入球状態情報を生成する入球状態情報生成処理と、
入球状態情報を記憶する入球状態情報記憶処理と、
記憶された入球状態情報を情報表示部にて表示する入球状態情報表示処理と
を有しており、
第１排出数計測処理における処理結果が０の場合、情報表示部に第１態様を表示するよう構成され、
第１排出数計測処理における処理結果が０ではない場合、前記入球状態情報が所定値を超えているか否かを判定し、
所定値以上の場合は、第１態様とは異なる第２態様を情報表示部に表示し、
所定値を超えていない場合は、前記入球状態情報を情報表示部に表示するよう構成されている
ことを特徴とするぱちんこ遊技機である。
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
遊技に関する情報を表示可能な情報表示部と、
遊技の進行を司る主遊技部と、
を備え、
前記主遊技部は、
遊技に関する情報を情報表示部に点滅表示させる遊技情報表示制御手段と、
加算または減算を行うとともに、所定値となったことを契機として初期値にリセットする点滅回数カウンタと、
前記点滅回数カウンタの値が前記所定値となったことを契機として遊技に関する情報の表示内容を切り替える遊技情報切替手段と、
を有し、
前記遊技情報表示制御手段は、前記点滅回数カウンタの値が偶数の値である場合、遊技に関する情報を前記情報表示部に表示させる一方、前記点滅回数カウンタの値が奇数の値である場合、遊技に関する情報を前記情報表示部に表示させないように構成されており、
前記所定値として、奇数の値が設定されている
ことを特徴とする遊技機。
【請求項２】
遊技に関する情報を表示可能な情報表示部と、
遊技の進行を司る主遊技部と、
を備え、
前記主遊技部は、
遊技に関する情報を情報表示部に点滅表示させる遊技情報表示制御手段と、
加算または減算を行うとともに、所定値となったことを契機として初期値にリセットする点滅回数カウンタと、
前記点滅回数カウンタの値が前記所定値となったことを契機として遊技に関する情報の表示内容を切り替える遊技情報切替手段と、
を有し、
前記遊技情報表示制御手段は、前記点滅回数カウンタの値が奇数の値である場合、遊技に関する情報を前記情報表示部に表示させる一方、前記点滅回数カウンタの値が偶数の値である場合、遊技に関する情報を前記情報表示部に表示させないように構成されており、
前記所定値として、偶数の値が設定されている
ことを特徴とする遊技機。
【手続補正２】
【補正対象書類名】明細書
【補正対象項目名】０００５
【補正方法】変更
【補正の内容】
【０００５】
本態様に係るぱちんこ遊技機は、
遊技に関する情報を表示可能な情報表示部と、
遊技の進行を司る主遊技部と、
を備え、
前記主遊技部は、
遊技に関する情報を情報表示部に点滅表示させる遊技情報表示制御手段と、
加算または減算を行うとともに、所定値となったことを契機として初期値にリセットする点滅回数カウンタと、
前記点滅回数カウンタの値が前記所定値となったことを契機として遊技に関する情報の表示内容を切り替える遊技情報切替手段と、
を有し、
前記遊技情報表示制御手段は、前記点滅回数カウンタの値が偶数の値である場合、遊技に関する情報を前記情報表示部に表示させる一方、前記点滅回数カウンタの値が奇数の値である場合、遊技に関する情報を前記情報表示部に表示させないように構成されており、
前記所定値として、奇数の値が設定されている
ことを特徴とする遊技機である。
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
超音波ビーム形成のためのアナログビーム形成器であって、
アナログ信号を送信し、反射アナログ信号を受信し、アナログ出力信号を提供するための振動子のアレイと、
前記アナログ出力信号を受信し、該アナログ出力信号をサンプリングし、該サンプリングされたアナログ出力信号をフィルタリングし、アナログ超音波信号を出力するように構成されたアナログフィルタのアレイと、
前記アナログ超音波信号の各々に遅延を付加するための遅延線と
を備える、アナログビーム形成器。
【請求項２】
前記受信された反射アナログ信号が、圧力波であり、前記振動子のアレイが、前記受信された反射アナログ信号を電圧に変換する、請求項１に記載のアナログビーム形成器。
【請求項３】
前記受信された反射アナログ信号が、圧力波であり、前記振動子のアレイが、前記受信された反射アナログ信号を電流に変換する、請求項１に記載のアナログビーム形成器。
【請求項４】
前記アナログ出力信号をフィルタリングするための前記アナログフィルタのアレイ内に、ファローフィルタをさらに備える、請求項１に記載のアナログビーム形成器。
【請求項５】
前記アナログ出力信号をフィルタリングするための前記アナログフィルタのアレイ内に、小数遅延フィルタバンクをさらに備える、請求項１に記載のアナログビーム形成器。
【請求項６】
前記小数遅延フィルタバンクが、前記アナログ超音波信号を用いて送信するための下位サンプルを選択するために、スキュードサンプリングを使用する、請求項５に記載のアナログビーム形成器。
【請求項７】
チャンネルの間で遅延のタイムスキューを生成するための前記小数遅延フィルタバンク内に、デジタルスキュー生成装置をさらに備える、請求項５に記載のアナログビーム形成器。
【請求項８】
前記サンプリングされたアナログ出力信号をフィルタリングするための前記アナログフィルタのアレイ内に、有限インパルス応答フィルタをさらに備える、請求項１に記載のアナログビーム形成器。
【請求項９】
出力された前記アナログ超音波信号を加算して、ビーム形成器出力を生成するための加算モジュールをさらに備える、請求項１に記載のアナログビーム形成器。
【請求項１０】
副ローブを減少させるために、前記送信されたアナログ信号の波形のウィンドウ処理のためのアポダイゼーション回路をさらに備える、請求項１に記載のアナログビーム形成器。
【請求項１１】
超音波ビーム形成のためのアナログビーム形成器であって、
アナログ信号をサンプリングし、該サンプリングされたアナログ信号をフィルタリングして、サンプリングされたアナログ信号を形成し、該サンプリングされたアナログ信号をビーム形成し、出力アナログビーム形成信号を出力するためのアナログフィルタのアレイと、
前記出力アナログビーム形成信号を受信するとともに、少なくとも第2出力アナログビーム形成信号を受信するように構成され、前記出力アナログビーム形成信号を前記第2出力アナログビーム形成信号に加算するようにさらに構成された加算ノードと、
を備える、アナログビーム形成器。
【請求項１２】
遅延を前記アナログ信号に導入するための前記アナログフィルタのアレイ内に、ファローフィルタをさらに備える、請求項１１に記載のアナログビーム形成器。
【請求項１３】
前記サンプリングされたアナログ信号を形成するために前記アナログ信号をフィルタリングするための前記アナログフィルタのアレイ内に、小数遅延フィルタバンクをさらに備える、請求項１１に記載のアナログビーム形成器。
【請求項１４】
前記小数遅延フィルタバンクが、前記サンプリングされたアナログ信号を用いて送信するための下位サンプルを選択するために、スキュードサンプリングを使用する、請求項１３に記載のアナログビーム形成器。
【請求項１５】
チャンネルの間で遅延のタイムスキューを生成するための前記小数遅延フィルタバンク内に、デジタルスキュー生成装置をさらに備える、請求項１３に記載のアナログビーム形成器。
【請求項１６】
前記アナログ信号をフィルタリングするための前記アナログフィルタのアレイ内に、有限インパルス応答フィルタをさらに備える、請求項１１に記載のアナログビーム形成器。
【請求項１７】
副ローブを減少させるために、前記サンプリングされたアナログ信号の波形のウィンドウ処理のためのアポダイゼーション回路をさらに備える、請求項１１に記載のアナログビーム形成器。
【請求項１８】
アナログビーム形成のための方法であって、
振動子のアレイから、アナログ信号を送信するステップと、
前記振動子のアレイにおいて、反射アナログ信号を受信するステップと、
アナログフィルタのアレイを用いて、前記受信された反射アナログ信号をフィルタリングするステップであって、フィルタリングが、
前記受信したアナログ信号をサンプリングすることと、
前記サンプリングされたアナログ信号の各々に遅延を加えることと、
を含む、ステップと、
前記アナログフィルタのアレイから、サンプリングされたアナログ信号を出力するステップと
を具備する、方法。
【請求項１９】
加算ノードにおいて、前記サンプリングされたアナログ信号を、並行アナログビーム形成器からの、並行してサンプリングされたアナログ信号に加えるステップをさらに含む、請求項１８に記載の方法。
【請求項２０】
アポダイゼーション回路において、副ローブを減少させるために前記サンプリングされたアナログ信号の波形をウィンドウ処理することをさらに含む、請求項１８に記載の方法。
【手続補正書】
【提出日】令和1年8月30日(2019.8.30)
【手続補正１】
【補正対象書類名】明細書
【補正対象項目名】００１８
【補正方法】変更
【補正の内容】
【００１８】
【図１】本発明を適用した実施の形態１に係るダブルブロー方式によるブロー成形装置の正面図、右側面図、左側面図および内部構成を示す平面図である。
【図２】図１のブロー成形装置の内部構成を示す拡大平面図である。
【図３】図１のブロー成形装置の水平多関節ロボットの一例を示す平面図、正面図、側面図および、そのグリッパーを示す平面図である。
【図４】本発明を適用した実施の形態１の改変例に係るダブルブロー方式によるブロー成形装置を示す説明図である。
【図５】本発明を適用した実施の形態２に係るシングルブロー方式によるブロー成形装置を示す説明図である。
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
歯科補綴物を切削加工により作製する前のブロック体であって、
ＳｉＯ２を６０質量％以上８０質量％以下、
Ｌｉ２Ｏを１０質量％以上２０質量％以下、及び
Ａｌ２Ｏ３を５．１質量％以上１０質量％以下、で含み、
主とする結晶相が二ケイ酸リチウムである、歯科補綴物作製用ブロック体。
【請求項２】
さらに、Ｎａ２Ｏが２．８質量％以下、Ｋ２Ｏが１０質量％以下、ＣａＯが３．０質量％以下、ＳｒＯが１０質量％以下、ＢａＯが１０質量％以下、ＭｇＯが３．０質量％以下、Ｒｂ２Ｏが２．８質量％以下、Ｃｓ２Ｏが２．８質量％以下、Ｆｒ２Ｏが２．８質量％以下、ＢｅＯが３．０質量％以下、及びＲａＯが１０質量％以下から選ばれる少なくとも１つを含む、請求項１に記載の歯科補綴物作製用ブロック体。
【請求項３】
さらにＺｒＯ２、Ｐ２Ｏ５、ＴｉＯ２の少なくとも１つを１０質量％以下で含有する請求項１又は２に記載の歯科補綴物作製用ブロック体。
【請求項４】
さらにＶ２Ｏ５、ＣｅＯ２、Ｅｒ２Ｏ３の少なくとも１つを含有する請求項１乃至３のいずれか１項に記載の歯科補綴物作製用ブロック体。
【請求項５】
前記歯科補綴物作製用ブロック体の任意の断面でいずれの部位でも、縦６０μｍ、横６０μｍの観察範囲内における、空隙が占める面積の割合が２％未満である、請求項１乃至４のいずれか１項に記載の歯科補綴物作製用ブロック体。
【請求項６】
前記歯科補綴物作製用ブロック体の任意の断面のうち、縦１ｍｍ、横１ｍｍの観察範囲内に着色材の粒子が確認されない、請求項１乃至５のいずれか１項に記載の歯科補綴物作製用ブロック体。
【請求項７】
前記切削加工がコンピュータ支援製造装置による切削加工である請求項１乃至６のいずれか１項に記載の歯科補綴物作製用ブロック体。
【請求項８】
請求項１乃至７のいずれか１項に記載の歯科補綴物作製用ブロック体を製造し、前記歯科補綴物作製用ブロック体を切削加工する歯科補綴物の製造方法。
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
利益付与に関する抽選を行う第１抽選手段と、
前記第１抽選手段の抽選をその実行条件が成立するまで待機させて保留する第１保留手段と、
前記第１抽選手段と異なる内容で利益付与に関する抽選を行う第２抽選手段と、
前記第２抽選手段の抽選をその実行条件が成立するまで待機させて保留する第２保留手段と、
遊技者に利益を付与する大当り遊技を行う大当り遊技実行手段と、
通常遊技状態と該通常遊技状態よりも前記第２保留手段による保留がなされ易い時短遊技状態とを含む複数の遊技状態のなかで遊技状態を制御する遊技状態制御手段と、を備え、
前記第２抽選手段は、前記大当り遊技への移行契機となる特別結果に関する抽選を実行可能であり、該特別結果に当選した場合の特別遊技において略１００％の確率で前記大当り遊技へと移行可能とされ、
前記第２抽選手段による抽選は、前記特別結果に関する抽選によって前記大当り遊技が得られる割合が前記第１抽選手段による抽選よりも高くされ、
前記時短遊技状態において前記第２保留手段によって保留された保留数分の前記第２抽選手段による抽選を、前記遊技状態制御手段によって前記時短遊技状態から前記通常遊技状態へと移行された後に行い、限られた回数のなかで前記特別結果が得られるかの有限チャンス遊技を提供可能とし、
前記有限チャンス遊技において前記特別結果が得られた場合には再度前記時短遊技状態が付与されるようにした
ことを特徴とする遊技機。
【手続補正２】
【補正対象書類名】明細書
【補正対象項目名】０００５
【補正方法】変更
【補正の内容】
【０００５】
しかしながら、こうした遊技仕様はありきたりなものとなっており、遊技興趣の低下が抑制される新たな遊技仕様の登場が望まれている実情にある。
【手続補正３】
【補正対象書類名】明細書
【補正対象項目名】０００７
【補正方法】変更
【補正の内容】
【０００７】
上記課題を解決するために、本願発明は、利益付与に関する抽選を行う第１抽選手段と、
前記第１抽選手段の抽選をその実行条件が成立するまで待機させて保留する第１保留手段と、
前記第１抽選手段と異なる内容で利益付与に関する抽選を行う第２抽選手段と、
前記第２抽選手段の抽選をその実行条件が成立するまで待機させて保留する第２保留手段と、
遊技者に利益を付与する大当り遊技を行う大当り遊技実行手段と、
通常遊技状態と該通常遊技状態よりも前記第２保留手段による保留がなされ易い時短遊技状態とを含む複数の遊技状態のなかで遊技状態を制御する遊技状態制御手段と、を備え、
前記第２抽選手段は、前記大当り遊技への移行契機となる特別結果に関する抽選を実行可能であり、該特別結果に当選した場合の特別遊技において略１００％の確率で前記大当り遊技へと移行可能とされ、
前記第２抽選手段による抽選は、前記特別結果に関する抽選によって前記大当り遊技が得られる割合が前記第１抽選手段による抽選よりも高くされ、
前記時短遊技状態において前記第２保留手段によって保留された保留数分の前記第２抽選手段による抽選を、前記遊技状態制御手段によって前記時短遊技状態から前記通常遊技状態へと移行された後に行い、限られた回数のなかで前記特別結果が得られるかの有限チャンス遊技を提供可能とし、
前記有限チャンス遊技において前記特別結果が得られた場合には再度前記時短遊技状態が付与されるようにした
ことを特徴とする。
また、以下に記載の手段を採用するようにしてもよい。
手段１：遊技領域内に配置され遊技媒体を受け入れ可能な始動口と、
前記始動口に遊技媒体が受け入れられたことに基づいて乱数を取得する乱数取得手段と、
前記乱数取得手段により取得される乱数に基づいて抽選を行う抽選手段と、
前記乱数取得手段により乱数が取得された場合、該取得された乱数に応じた前記抽選をその実行条件が成立するまで待機させて保留状態にする遊技保留手段と、
前記抽選手段による抽選にて当りが得られた場合、遊技者に特典が付与される特典遊技状態が発生するように遊技を進行させる制御を実行可能な特別遊技進行制御手段と、
前記特典遊技状態が発生した後に通常の条件よりも有利な条件のもとで前記保留状態にある抽選が消化される状況にある場合、該抽選の結果に応じた図柄の変動時間との間に関係性を持たせることなくその当落が把握可能とされる演出パターンを決定し、該決定した演出パターンを前記特典遊技状態が発生している期間内で出現させるように制御する演出前倒実行制御手段と
を備えることを特徴とする遊技機。
【手続補正書】
【提出日】平成31年3月22日(2019.3.22)
【手続補正１】
【補正対象書類名】明細書
【補正対象項目名】０００４
【補正方法】変更
【補正の内容】
【０００４】  従来の介護尿とりパッドは次の様な欠点があった。  （イ）尿については相当量の吸収が可能になっているものの、大便については汚れ拡散の防止策がない。  （ロ）寝たきりの状態の場合、病院は人手不足の状況下では長時間の間、身体面の広範囲が大便で汚れたままで放置されていることが多い。個人宅での介護においては、特に大便の汚れの拭きとり、洗浄に労力がかかり、大変苦労している。  （ハ）介護の現場では、大便等による感染症が広く見られ、現実に大きな問題となっている。女性の場合は、女性器と肛門が近いため、大便の身体前面への拡散、流れ込みが、特に衛生上問題となっている。大陰唇のくぼみから、大便が侵入しやすく、その防止策が無いため感染症の懸念も大きい。加えて介護用尿とりパッドの取り替え時の、汚れ部分の洗浄には大変手間がかかり、それぞれの現場で個別に工夫しているのが現実である。
【手続補正２】
【補正対象書類名】明細書
【補正対象項目名】０００５
【補正方法】変更
【補正の内容】
【０００５】  介護用尿とりパッド（１）の内面側の、身体の会陰部が当たる位置（２）に、横方向に半円柱の盛り上った土手（３）を設ける。これにより大便が女性器方向に流れて拡散することを防止する。その土手（３）に接続して、腹部面（４）に大陰唇のくぼみとその両渕をふさぐ広さで、盛り上り（５）を設けて装着時に女性器をしっかり覆う形とする。この盛り上り（５）の形状は、半円柱状で、土手（３）との接続部の３センチ部分には、大陰唇のくぼみをぴったりふさぐために、くさび形の切り込み（６）を浅く設定する。これにより大陰唇に大便が侵入することを防止することが出来る。この盛り上り（５）は腹部面（４）に向って、幅は除々に細くし、盛り上りは除々に低くし、長さは大陰唇の長さの２分の１程度で盛り上り（５）が消滅する設定とする。土手（３）で身体前面への大便拡散、流れ込みを堰止めし、盛り上り（５）で大陰唇への大便侵入を防止するが、女性器の半分は解放されているので排尿時等に大きなストレスを感じることはない。
【手続補正３】
【補正対象書類名】明細書
【補正対象項目名】０００８
【補正方法】変更
【補正の内容】
【０００８】  介護尿とりパッド（１）の内面側の、身体の会陰部が当たる位置（２）に、横方向に半円柱の盛り上った土手（３）を設けて大便が女性器方向に流れて拡散することを防止する。その土手（３）の中央部分より接続して腹部面（４）に向けて、大陰唇のくぼみとその両サイドの渕を押える範囲で盛り上り（５）を設ける。この盛り上り（５）は半円柱状として、土手（３）に接続する最初の３センチ程度の部分には、大陰唇のくぼみをぴったりふさぐためにくさび形の切り込み（６）を浅く設定する。これにより大陰唇に大便が侵入することを防止することが出来る。この盛り上り（５）は土手（３）に接続する部分から腹部面（４）に伸びるに従って、幅は除々に細くし、盛り上りは除々に低くし、長さは大陰唇の長さの２分の１程度で盛り上り（５）が消滅する設定とする。会陰部が当る位置（２）に設ける半円柱の盛り上った土手（３）は身体腹部面（４）に大便が拡散することを堰止めする目的であるので、規模は直径２センチ程度の半円柱のベルト状の盛り上りとする。腹部面（４）に伸びた盛り上り（５）は女性のデリケートな部分への大便の侵入を防止する目的であるので、規模は直径３センチ程度の半円柱状の大きさから、腹部方向へ除々に小さくすることにより、腹部への圧迫感を無くし、排尿時の不快感を感じさせないで介護用尿とりパッド（１）の機能を保持することが出来る。本発明は、現在市場に流通している既存の介護用尿とりパッド（１）の内面側の２箇所に、土手（３）と盛り上り（５）を新たに追加設定した状態で需要者に提供することにより、実際の介護時の装着は従来と変らないため余分な負担がかからない。加えて、介護用尿とりパッド（１）の取り替え時の付着大便の洗浄を中心とした身体の洗浄作業が極めて楽になる。特に女性のデリケートな部分への大便の侵入を相当程度回避できるため、感染症の観点からもその効果は大きい。半円柱の盛り上った土手（３）とその土手（３）に接続して腹部面（４）に伸びた盛り上り（５）の組成素材は、カブレや異和感が発生しない様に、介護用尿とりパッド（１）の内面側一帯を組成する素材と同一とする。大便の侵入をさらに強く阻止する場合は、土手（３）と盛り上り（５）の硬度を高めるために、線状パルプ、吸水紙等の密度を濃くして調整する方法を採用する。前述の半円柱の盛り上った土手（３）を設けない場合は、会陰部が当たる位置（２）を起点として腹部面（４）に向けて大陰唇のくぼみとその両サイドの渕を押える範囲で、半円柱状の盛り上り（５）を単独で設ける。この盛り上り（５）の形状等を前述と同様に設定すれば、女性のデリケートな部分への大便の侵入を防止することが出来る。
【手続補正４】
【補正対象書類名】特許請求の範囲
【補正対象項目名】請求項２
【補正方法】変更
【補正の内容】
【請求項２】
介護用尿とりパッド（１）の内面側の、身体の会陰部が当たる位置（２）に、横方向に半円柱の盛り上った土手（３）を設けた場合は、その中央部より接続して腹部分（４）に向けて、大陰唇のくぼみとその両サイドの渕を押える範囲で、半円柱状の盛り上り（５）を設ける。前述の半円柱の盛り上った土手（３）を設けない場合は、会陰部が当たる位置（２）を起点として腹部面（４）に向けて大陰唇のくぼみとその両サイドの渕を押える範囲で半円柱状の盛り上り（５）を設ける。いずれの場合もその設置方法は女性向専用の介護用尿とりパッドの特許範囲の形態とする。この盛り上り（５）は半円柱状とし、土手（３）に接続する最初の３センチ程度の部分には、大陰唇のくぼみをぴったりふさぐために、くさび形の切り込み（６）を浅く設定する。これにより大陰唇に大便が侵入することを防止することが出来る。この盛り上り（５）は腹部面（４）に進むに従って、幅は除々に細くし、盛り上りは除々に低くし、長さは大陰唇の長さの２分の１程度で盛り上り（５）が消滅する形態で設定する。これは自力で歩行できない寝たきりの被介護者が、介護用おむつと併用して使用するものとして、本介護用尿とりパッド（１）を装着した後に、介護用おむつに収めてテープで全体を保持、安定させる形態。